(57)【要約】【課題】この発明は、カーテンエアバッグ手段のカーテン部材展開時に、係合部上縁が破損することを防止できる車両の内装構造を提供することを目的とする。【解決手段】ピラートリム４２には、該ピラートリム４２上端部近傍に配置され、カーテンエアバッグ装置２０のカーテン部材２１の展開時に該カーテン部材２１が車室内に展開するように形成されるガイド部４２ｋと、該ガイド部４２ｋよりピラートリム４２の上下延設方向下側の部位にて上方に延設するように形成され、カーテン部材２１展開前では、ルーフトリム４５の車両側端部を係合支持し、カーテン部材２１の展開によりピラートリム４２との係合支持を解除してカーテン部材２１の展開を許容する係合部４２ｐとが形成され、カーテン部材２１の展開時に、該カーテン部材２１が係合部４２ｐの下部領域αに当接するのを阻止するシート部材２４を備えた。【選択図】図３
2010006101.tif 000002
【特許請求の範囲】
【請求項１】
車室天井を覆うルーフトリムと、
車両のサイドウインドに設けられるピラーを車室側から覆うピラートリムと、
所定条件成立時に、上記サイドウインドを覆うように上記ルーフトリムと上記ピラートリムとの境界からカーテン部材を展開させるカーテンエアバッグ手段とを備え、
上記ピラートリムには、該ピラートリム上端部近傍に配置され、上記カーテン部材展開時に該カーテン部材が車室内に展開するように形成されるガイド部と、
該ガイド部より上記ピラートリムの上下延設方向下側の部位にて上方に延設するように形成され、
上記カーテン部材展開前では、上記ピラートリムより軟質の上記ルーフトリムの車両側端部を係合支持し、
上記カーテン部材の展開により上記ルーフトリムとの係合支持を解除して上記カーテン部材の展開を許容する係合部とが形成された車両の内装構造であって、
上記カーテン部材の展開時に、該カーテン部材が上記係合部の下部に当接するのを阻止する阻止部材を備えた
車両の内装構造。
【請求項２】
上記係合部は、平面視で車室側に膨出するように形成されるとともに、
上記カーテン部材は、収納状態では、上記ガイド部より上方で前後方向に延設して設置されており、
上記阻止部材は、上記係合部の前後端部近傍の内少なくとも一方における下部への当接を阻止するように構成される
請求項１記載の車両の内装構造。
【請求項３】
上記係合部の前後端部の少なくとも一方と上記ガイド部との離間距離は、上記係合部の車幅方向側端部と上記ガイド部との離間距離よりも大きくなるように設定されている
請求項２記載の車両の内装構造。
【請求項４】
上記阻止部材は、上記カーテン部材の展開時に上記係合部を覆う可撓性部材により構成される
請求項１記載の車両の内装構造。
【請求項５】
上記阻止部材は、上記ガイド部と上記係合部の上部との間で上方に突出する突出部により構成される
請求項１記載の車両の内装構造。
【請求項６】
車室天井を覆うルーフトリムと、
車両のサイドウインドに設けられるピラーを車室側から覆うピラートリムと、
所定条件成立時に、上記サイドウインドを覆うように上記ルーフトリムと上記ピラートリムとの境界からカーテン部材を展開させるカーテンエアバッグ手段とを備え、
上記ピラートリムには、該ピラートリム上端部近傍に配置され、上記カーテン部材展開時に該カーテン部材が車室内に展開するように形成されるガイド部と、
該ガイド部より上記ピラートリムの上下延設方向下側の部位にて上方に延設するように形成され、
上記カーテン部材展開前では、上記ピラートリムより軟質の上記ルーフトリムの車両側端部を係合支持し、
上記カーテン部材の展開により上記ルーフトリムとの係合支持を解除して上記カーテン部材の展開を許容する係合部とが形成された車両の内装構造であって、
上記ガイド部と上記係合部の上部との間で上方に突出する突出部を設けた
車両の内装構造。
【発明の詳細な説明】
【技術分野】
【０００１】
この発明は、カーテンエアバッグ手段のカーテン部材展開時に該カーテン部材が車室内に展開するように形成されるガイド部と、カーテン部材の展開によりルーフトリムとの係合支持を解除してカーテン部材の展開を許容する係合部とがピラートリムに形成された車両の内装構造に関する。
【背景技術】
【０００２】
車両、特に自動車においては、衝突時や横転時等の乗員保護のためにエアバッグ手段が装備されることが一般的となっている。このエアバッグ手段として、前後方向に隔置された複数のサイドウインドガラス等でなるサイドウインド部の車内側の面を覆うことができるように前後方向に長くされたカーテンエアバッグ手段と呼ばれるものがある。
【０００３】
このようなカーテンエアバッグ手段は、ルーフサイド部において、サイドウインド部の車内側の面を覆うためのカーテン部材がルーフトリムの側端部上方に収容されており、例えばピラー部においては、ピラートリムとルーフトリムとの境界部から、ピラートリムの側端部を車室側に押し出しながら展開するように構成される場合がある。
【０００４】
その場合に、カーテン部材の車室内への展開性を良好なものとするため、例えば下記特許文献１、２に開示されているように、この展開するカーテン部材を車室側にガイドするガイド部を、ピラートリムの上端部に一体で設ける場合がある。
【０００５】
また、このようにガイド部をピラートリムの上端部に一体で設けたものにおいては、例えば特許文献１に開示されているように、上方に延設してルーフトリムの車外側端部と係合する係合部をピラートリムに形成したものがあり、この係合部により、カーテン部材の展開前では、ルーフトリムを係合支持する一方で、カーテン部材の展開時には、このルーフトリムとの係合支持を解除して上記カーテン部材の展開を許容することを可能にしている。
【特許文献１】特開２００８−１８８３７号公報
【特許文献２】特開２０００−７１９２８号公報
【発明の開示】
【発明が解決しようとする課題】
【０００６】
ところで、近年、車両のデザインの多様化等により、ピラートリムの上部の形状を、上端に近づくにつれて車室内側に傾斜、湾曲させた所謂末広がり形状とする場合があり、このような形状をなすピラートリムに対しても、上述したようなガイド部及び係合部を形成することが考えられている。
【０００７】
しかしながら、この場合、上述した末広がり形状によって上記係合部の上縁がより車室内側に位置することになるため、ガイド部と係合部の上縁との離間距離が大きくなり、カーテン部材の展開時には、これが係合部に落ち込むような状態となってその下部に侵入し、当接する虞があった。
【０００８】
仮に、展開中のカーテン部材が上述したように係合部の下部に当接すると、場合によっては、係合部の上縁に大きな応力が作用してその部位を破損させることになってしまう。
【０００９】
この発明は、カーテンエアバッグ手段のカーテン部材展開時に、係合部上縁が破損することを防止できる車両の内装構造を提供することを目的とする。
【課題を解決するための手段】
【００１０】
この発明の車両の内装構造は、車室天井を覆うルーフトリムと、車両のサイドウインドに設けられるピラーを車室側から覆うピラートリムと、所定条件成立時に、上記サイドウインドを覆うように上記ルーフトリムと上記ピラートリムとの境界からカーテン部材を展開させるカーテンエアバッグ手段とを備え、上記ピラートリムには、該ピラートリムの上端部近傍に配置され、上記カーテン部材展開時に該カーテン部材が車室内に展開するように形成されるガイド部と、該ガイド部より上記ピラートリム上下延設方向下側の部位にて上方に延設するように形成され、上記カーテン部材展開前では、上記ピラートリムより軟質の上記ルーフトリムの車両側端部を係合支持し、上記カーテン部材の展開により上記ルーフトリムとの係合支持を解除して上記カーテン部材の展開を許容する係合部とが形成された車両の内装構造であって、上記カーテン部材の展開時に、該カーテン部材が上記係合部の下部に当接するのを阻止する阻止部材を備えたものである。
【００１１】
この構成によれば、カーテン部材の展開時に、これが係合部に落ち込むような状態となってその下部に当接することを阻止部材により阻止できるため、係合部の下部に大きな応力が作用することに起因して発生する係合部上縁の破損を防止できる。
【００１２】
なお、本発明において、「所定条件」とは、所定の検出手段による側突検出時あるいはその予知時や、横転検出時あるいはその予知時等を意味する。
【００１３】
この発明の一実施態様においては、上記係合部が、平面視で車室側に膨出するように形成されるとともに、上記カーテン部材は、収納状態では、上記ガイド部より上方で前後方向に延設して設置されており、上記阻止部材は、上記係合部の前後端部近傍の内少なくとも一方における下部への当接を阻止するように構成されるものである。
【００１４】
この構成によれば、カーテン部材の展開時には、これが前後の係合部上縁の少なくとも一方の下部に強い押圧力で当接するため、前後の少なくとも一方の下部にカーテン部材が当接することを阻止部材で阻止することにより、係合部上縁での破損をより効果的に防止できる。
【００１５】
この発明の一実施態様においては、上記係合部の前後端部の少なくとも一方と上記ガイド部との離間距離は、上記係合部の車幅方向側端部と上記ガイド部との離間距離よりも大きくなるように設定されているものである。
【００１６】
この構成によれば、係合部の前後端部の少なくとも一方とガイド部との離間距離を、係合部の車幅方向側端部とガイド部との離間距離よりも大きくすることで、阻止部材によって係合部上縁の前後端部の破損を防止しつつ、ガイド部を前後方向中央側に寄せて形成できる。このため、高剛性のピラートリムを形成することが容易になったり、ピラートリムのデザインの自由度向上や、ピラートリムのルーフトリムへの取付作業の容易化を図ったりすることができる。
【００１７】
この発明の一実施態様においては、上記阻止部材が、上記カーテン部材の展開時に上記係合部を覆う可撓性部材により構成されるものである。
【００１８】
この構成によれば、簡素な構成でありながら、カーテン部材の展開に伴う可撓性部材の変形によって係合部を確実に覆うことができ、これによってカーテン部材の下部への当接を確実に防止できる。
【００１９】
この発明の一実施態様においては、上記阻止部材が、上記ガイド部と上記係合部の上部との間で上方に突出する突出部により構成されるものである。
【００２０】
この構成によれば、カーテン部材の展開時にこれが突出部に当接することで、係合部への落ち込みによるカーテン部材と係合部下部との当接を阻止することが可能になり、これによって係合部上縁の破損を防止できる。
【００２１】
この発明の車両の内装構造は、車室天井を覆うルーフトリムと、車両のサイドウインドに設けられるピラーを車室側から覆うピラートリムと、所定条件成立時に、上記サイドウインドを覆うように上記ルーフトリムと上記ピラートリムとの境界からカーテン部材を展開させるカーテンエアバッグ手段とを備え、上記ピラートリムには、該ピラートリム上端部近傍に配置され、上記カーテン部材展開時に該カーテン部材が車室内に展開するように形成されるガイド部と、該ガイド部より上記ピラートリムの上下延設方向下側の部位にて上方に延設するように形成され、上記カーテン部材展開前では、上記ピラートリムより軟質の上記ルーフトリムの車両側端部を係合支持し、上記カーテン部材の展開により上記ルーフトリムとの係合支持を解除して上記カーテン部材の展開を許容する係合部とが形成された車両の内装構造であって、上記ガイド部と上記係合部の上部との間で上方に突出する突出部を設けたものである。
【００２２】
この構成によれば、カーテン部材の展開時に、これが係合部に落ち込むような状態となってその下部に当接することを突出部により阻止できるため、係合部の下部に大きな応力が作用することに起因して発生する係合部上縁の破損を防止できる。
【発明の効果】
【００２３】
この発明によれば、カーテン部材の展開時に、これが係合部に落ち込むような状態となってその下部に当接することを阻止部材により阻止できるため、係合部の下部に大きな応力が作用することに起因して発生する係合部上縁の破損を防止できる。
【００２４】
また、この発明によれば、カーテン部材の展開時に、これが係合部に落ち込むような状態となってその下部に当接することを突出部により阻止できるため、係合部下部に大きな応力が作用することに起因して発生する係合部上縁の破損を防止できる。
【発明を実施するための最良の形態】
【００２５】
以下、図面に基づいて本発明の実施形態を詳述する。  
（第１実施形態）  
まず、図１〜図６に示す第１実施形態について説明する。図１は、収納状態にあるカーテンエアバッグ装置を車室内側から見た簡略側面図であり、図２は、カーテンエアバッグ装置のカーテン部材を車室内に膨張、展開させたときの状態を示すもので、図１に対応した図である。なお、図中において矢印（Ｆ）は車両前方、矢印（Ｒ）は車両後方を示す。
【００２６】
図１に示すように、車両１は、前席シート２と、前席シート２の後方に配設された２列目シート３と、２列目シート３の後方に配設された３列目シート４とを有する。また、この車両１は、乗員昇降用のサイドドアとして、前席シート２用のサイドドア５と、２列目シート３用のサイドドア６とを有すると共に、ピラーとして、前側から順に、Ａピラー７、Ｂピラー８、Ｃピラー９、Ｄピラー１０を有する。
【００２７】
サイドドア５は、Ａピラー７とＢピラー８との間の乗降用開口１１を開閉するもので、上下方向に開閉駆動されるサイドウインドガラス１２を有する。また、サイドドア６は、Ｂピラー８とＣピラー９との間の乗降用開口１３を開閉するもので、上下方向に開閉駆動されるサイドウインドガラス１４を有する。Ｃピラー９とＤピラー１０との間には、後部サイド開口１５が設けられ、該後部サイド開口１５がサイドウインドガラス１６で覆われている。
【００２８】
このような構成により、車両１では、サイドウインドガラス１２、１４、１６でサイドウインド部が構成され、ピラートリム７〜１０は、このサイドウインド部に設けられている。
【００２９】
また、この車両１には、不図示のセンサによる側突検出時あるいはその予知時や、横転検出時あるいはその予知時等の所定条件成立時に、上記３つのサイドウインドガラス１２、１４、１６を含む上記サイドウインド部を車室内から覆うカーテンエアバッグ装置２０が設けられている。Ｃピラー９の上部前方には、カーテンエアバッグ装置２０を構成するカーテン部材２１に、供給系路２２を介して膨張、展開用のガス圧を供給するインフレータ２３が設けられている。
【００３０】
カーテン部材２１は、Ａピラー７からルーフサイド部を通ってＤピラー１０に至る内部空間に、蛇腹状やロール状に折りたたまれて１本の棒状体とされた状態で車両前後方向に延設するように収納され、ブラケット等を介して車体に固定されている。そして、その膨張、展開時には、図２に示すように、上記サイドウインド部の車室側の面に沿うように車室内に展開し、該サイドウインド部を車室側から覆うように構成されている。また、カーテン部材２１は、展開状態において下端が各サイドウインドガラス１２、１４、１６の下縁部よりも若干下方に位置するようにその大きさが設定されている。
【００３１】
また、カーテン部材２１は、重ね合わせた略同一形状の２枚の基布の外縁近傍に沿って縫製を施す（図示省略）ことにより袋状に形成され、ガス導入口を介してインフレータ２３からのガスが充填可能になっている。カーテン部材２１の上縁部には、サイドウインドガラス１２、１４、１６の上縁に沿って複数の固定部Ｐが設けられている。また、カーテン部材２１の前端部にはテザー２１ａが設けられ、該テザー２１ａがＡピラー７の下部に固定されている。
【００３２】
また、本実施形態のカーテンエアバッグ装置２０には、Ｂピラー８、Ｃピラー９の位置に対応して、折りたたまれた状態にあるカーテン部材２１の外周をロール状に覆うシート部材２４が備えられている。このシート部材２４は、例えば樹脂製または硬めの布製とされ、可撓性を有する部材となっている。
【００３３】
図３は、本実施形態に係るピラートリムの上部周辺を示す要部拡大側面図であり、図４は、同平面図、図５は、図３、図４におけるＡ−Ａ線矢視断面図である。なお、矢印（ＩＮ）は車両内方、矢印（ＯＵＴ）は車両外方を示す。各ピラー７〜１０は、例えばＢピラー８がＢピラートリム４２によって覆われているように（図３〜図５参照）、それぞれが対応するピラートリムによって車室内側から覆われている。なお、ピラー８、９の構成等については略同様であるため、以降の説明では、Ｂピラー８を例に挙げて説明する。
【００３４】
車室の天井部外面を構成するルーフパネル（図示省略）の車室側は、ルーフトリム４５によって覆われている。ルーフトリム４５は、弾性体等の軟質材、例えば発砲ウレタン等の表面を不織布で覆ったもの等によって形成されており、手指で押圧した程度の外力でもって比較的容易に塑性、弾性変形し得るものとされている。一方、ピラートリム４２を含む各ピラートリムは、それぞれ硬質の合成樹脂、例えばポリプロピレンで形成されており、手指で押圧した程度の外力では容易には塑性変形しにくいものとされている。このため、ルーフトリム４５は、各ピラートリムよりも相対的に軟質とされている。
【００３５】
ところで、図３、図４では便宜上図示を省略したが、車体の側面部は、図５に示すように、その内面を構成するインナパネル３１と、外面を構成するアウタパネル３２とを有し、これらのパネル３１、３２には、上記乗降用開口１１、１３及びサイドウインド１５（図１、図２参照）に対応する開口がそれぞれ設けられている。
【００３６】
そして、インナパネル３１及びアウタパネル３２における上記開口１１、１３、１５の間の部分は、図５に示すように上下に延びており、前後端が接合されて水平断面が閉断面のピラー８等のピラー本体を構成している。このピラー本体は、ピラートリムによってインナパネル３１に対して離間した状態で車室内側から覆われている。
【００３７】
また、インナパネル３１及びアウタパネル３２における上記開口１１、１３、１５よりも上方の部分は、ルーフサイド部（図示省略）を構成している。このルーフサイド部においては、カーテンエアバッグ装置２０が平面視においてほぼ前後方向に略直線的に収容され、該装置２０に設けられた取付用タブの穴とインナパネル３１に形成された穴とにクリップ等のファスナーを挿通することによりインナパネル３１に固定されている。
【００３８】
次に、Ｂピラートリム４２の構造、及びルーフトリム４５の側端部の支持構造について説明する。Ｂピラートリム４２の本体部４２ａは、図４に示すように、平面視で、車体側面にほぼ平行な側面部４２ｂと、該側面部４２ｂの前後に位置する前面部４２ｃ及び後面部４２ｄとを有し、前後方向中間部が車内側に膨出して湾曲するように形成されている。
【００３９】
そして、これら側面部４２ｂ、前面部４２ｃ及び後面部４２ｄの上部には、図３、図４に示すように、上端に近づくにつれて車室内側に傾斜、湾曲した所謂末広がり形状をなす係合縁部４２ｅ、４２ｆ、４２ｇが形成されている。
【００４０】
また、Ｂピラートリム４２には、図３〜図５に示すように、その本体部４２ａの上端よりも若干下方の位置から車室外側に延びる外方延出部４２ｈが２箇所一体形成されている。そして、この外方延出部４２ｈの車外側の側端部には、略上方に延びる嵌合爪部４２ｉ、４２ｉが形成され、これら嵌合爪部４２ｉ、４２ｉが、インナパネル３１に形成された係合孔３１ａ、３１ａ（図５参照）に挿通されている。
【００４１】
また、Ｂピラートリム４２には、ルーフトリム４５の背部において、外方延出部４２ｈからその上方のカーテンエアバッグ装置２０（カーテン部材２１）近傍まで略上方に延びる延設部４２ｊが３箇所一体形成されており、Ｂピラートリム４２では、車両前後方向において外方延出部４２ｈ（嵌合爪部４２ｉ）、延設部４２ｊが交互に形成されている。
【００４２】
この延設部４２ｊは、上記ピラートリム４２の上端部近傍に配置されて図５中の二点鎖線で示すように展開するカーテン部材２１を車室側にガイドするガイド部４２ｋと、略上下方向に延び、該ガイド部４２ｋと各係合縁部４２ｅ〜４２ｇの下部とを連結する連結部４２ｍとを有している。
【００４３】
その場合に、ガイド部４２ｋのガイド面は、車室側が低くなるように傾斜しており、その上方には、収納状態で前後方向に延設されたカーテン部材２１が配されるようになっている。
【００４４】
なお、ガイド面を車室側に延長したライン、すなわちカーテン部材２１の展開指向方向は、本体部４２ａの側面部４２ｂ上端よりも高い位置となるように形成されており、側面部４２ｂがカーテン部材２１の展開に支障を及ぼさないようになっている。
【００４５】
また、連結部４２ｍと、各係合縁部４２ｅ〜４２ｇの下端部とが繋がっていることにより、ガイド部４２ｋよりピラートリム４２の上下延設方向の下側において、側面部４２ｂ、前面部４２ｃ、後面部４２ｄに沿って延び、上方に開口する溝４２ｎを有する係合部４２ｐが形成されている。
【００４６】
この係合部４２ｐは、ガイド部４２ｋの下側にて上方に延設されるように形成されるとともに、図４に示すように、平面視で車室側に膨出するように形成されている。
【００４７】
そして、係合部４２ｐは、ルーフトリム４５の車両側端部を係合支持することが可能とされており、カーテン部材２１の展開前では、ルーフトリム４５の側端部が係合部４２ｐに係合支持されることにより、ルーフトリム４５の側端部が車外側から覆われた状態となっている。
【００４８】
そして、係合部４２ｐは、溝４２ｎの水平方向の幅がルーフトリム４５の厚みよりも大きくされることで、カーテン部材２１の展開時におけるルーフトリム４５の側端部の上方への離脱、すなわち係合支持状態を容易に解除して、カーテン部材２１の展開が許容されるように構成されている。
【００４９】
また、本実施形態では、ピラートリム４２の上部の形状により、係合縁部の広がりの程度が側面部４２ｅ、前面部４２ｆ、後面部４２ｇの順番で大きくなっている。このため、溝４２ｎにおいては、図４に示すように、側面部４２ｂに対応する部分の幅Ｌ１よりも前面部４２ｃ、後面部４２ｄに対応する部分の幅Ｌ２、Ｌ３が大きくなるように設定され、上記幅Ｌ２、Ｌ３との関係では、幅Ｌ３が幅Ｌ２よりも大きくなるように設定されている。
【００５０】
ここで、このＢピラートリム４２の取付について説明すると、図６に示すように、Ｂピラートリム４２は、車体内面に、該内面に沿うように上方へ移動させながら取付けられる。
【００５１】
Ｂピラートリム４２の上端部には、図３、図４、及び図６に示すように、ルーフトリム４５の背部に近接して、ルーフトリム４５の車外側への移動を規制する規制部４２ｑ、４２ｑが形成されている。
【００５２】
この規制部４２ｑは、ガイド部４２ｋの前端部及び後端部の下方において、溝４２ｎの底部から上方に延びる板状の立設部４２ｒと、該立設部４２ｒの上端から切欠部４５ａの周縁よりも車室側外側へ斜め下方に延びる斜設部４２ｓと、該斜設部４２ｓの下端から切欠部４５ａの周縁側に延びる第２斜設部４２ｔとを有している。また、第２斜設部４２ｔは、ルーフトリム４５が背部側に押し込まれたときに、面的に受け止めるために設けられている。
【００５３】
規制部４２ｑは、図４に示すように、Ｂピラートリム４２が車体に対して取付けられた状態では、Ｂピラートリム４２上方から見て、上記ルーフトリム４５における切欠部４５ａの周縁よりも車室側に突出（延出）するように形成されている。
【００５４】
また、規制部４２ｑは、本体部４２ａと一体形成された樹脂製で弾力性を有しており、斜設部４２ｓが立設部４２ｒの上端（折曲部）を中心として前後方向に揺動可能とされていると共に、その回動軌跡の外側に上記ルーフトリム４５が位置するように形成されている。
【００５５】
したがって、ルーフトリム４５の下方からの取付け時には、図６に示すように、例えば斜設部４２ｓを前後方向に挟んで斜設部４２ｓの下端の前後間隔を小さくすることにより、ルーフトリム４５における切欠部４５ａの周縁から車室側への突出量（延出量）を軽減することが可能となっている。
【００５６】
このように、ピラートリム４２の上端部に規制部４２ｑが設けられているから、ピラートリム４２における切欠部４２ａの前端側及び後端側近傍が、乗員により不測に反車室側に押圧された場合、該ルーフトリム４５と規制部４２ｑとが接触することとなる。したがって、ルーフトリム４５の変形が抑制され、ルーフトリム４５の見栄えが悪化したり後述するカーテン部材２１の展開に悪影響を与えたりすることが防止される。
【００５７】
次に、カーテンエアバッグ装置２０の展開動作について説明する。  
先ず、カーテン部材２１が収納状態の時に、側方衝突が検出された時あるいは予知された時や、車両の横転が検出された時あるいは予知された時等の所定条件が成立すると、インフレータ２３が起爆される。そして、インフレータ２３の起爆によって発生したガス圧が、供給系路２２を介してカーテン部材２１に供給され、これにより、カーテン部材２１が、図２に示すように車室内に膨張、展開される。
【００５８】
その場合に、カーテン部材２１の車室内への膨張、展開は、上記ルーフサイド部におけるピラーが存在しない部位においては、ルーフトリム４５の側端部を車室側に変位させることにより行われる。なお、ルーフトリム４５は前述のように軟質なので容易に変形させることができる。
【００５９】
一方、ルーフサイド部におけるＢピラー８の上端部近傍においては、上記ガス圧によりカーテン部材２１が膨張を始めると、先ずはシート部材２４がカーテン部材２１の膨張圧により図２に示すように略平面状に展開し、図３〜図５にて二点鎖線で示すように、ピラートリム４２の係合部４２ｐの上方を覆う。
【００６０】
ここで、カーテン部材２１は、シート部材２４に覆われた状態から開放されることで、図５中の二点鎖線で示すように、ガイド部４２ｋ及び上記展開したシート部材２４に沿って車室内側に進出することになる。そして、カーテン部材２１は、ルーフトリム４５の側端部（図４に示す切欠部４５ａの周縁部）を係合部４２ｐの溝４２ｎから離脱させて車室側に変位させることにより、ピラートリム４２とルーフトリム４５との境界から車室内に向かって展開する。
【００６１】
このように、ピラートリム４２の本体部４２ａの上端部における上記境界部近傍に、展開するカーテン部材２１を車室側にガイドするガイド部４２ｋが設けられているので、エアバッグ２１の展開が良好にガイドされることとなる。
【００６２】
また、ガイド部４２ｋの車室側の端部の下方に、ルーフトリム４５の側端部を覆った状態で係合支持可能とされ、カーテン部材２１の展開時には、ルーフトリム４５との係合支持が解除可能な係合部４２ｐが設けられているから、非展開時においてはルーフトリム４５の側端部が係合部４２ｐにより良好に覆い隠されてルーフ部の見栄えがより向上すると共に、カーテン部材２１の展開性が良好なものとなる。
【００６３】
また、本実施形態では、上述したように、カーテン部材２１の展開時において可撓性を有するシート部材２４で係合部４２ｐを覆うようにしたため、カーテン部材２１の展開時に、これが係合部４２ｐに落ち込むような状態となってその下部領域α（図３、図４に示す領域）に当接することを阻止できる。この場合、下部領域αにカーテン部材２１が当接する虞がなくなることで、該領域αに大きな応力が作用することに起因して発生する係合縁部４２ｅ〜４２ｇの破損を防止できる。
【００６４】
なお、上記特許文献２では、カーテン部材の展開時において、ピラートリムの上端部を覆うシート部材が開示されている。しかしながら、上記特許文献２では、ピラートリムにおいて上方に延設される係合部が形成されていないため、上述したようなピラートリム上縁部の破損の可能性を考慮する必要がない構成となっている。従って、上記シート部材は、あくまでもカーテン部材の展開がピラートリムの上端部の影響を受けないようにする目的で備えられたに過ぎないものであると言える。
【００６５】
ところで、本発明者による鋭意研究の結果、係合部４２ｐを上方に延設させ、ピラートリム４２の上部を末広がり形状に形成した場合、カーテン部材２１の展開時、これが前後の係合縁部４２ｆ、４２ｇの少なくとも一方の下部領域αに強い押圧力で当接する虞があることが分かった。そこで、本実施形態では、前面部４２ｃ、後面部４２ｄの少なくとも一方の下部領域αにカーテン部材２１が当接することをシート部材２４で阻止するようにしている。これにより、係合縁部４２ｅ〜４２ｇでの破損をより効果的に防止できる。
【００６６】
なお、本実施形態では、ピラートリム４２におけるガイド部４２ｋと係合縁部４２ｅ〜４２ｇとの離間距離（ここでは面部４２ｂ〜４２ｄに対応する溝４２ｎの幅Ｌ１〜Ｌ３）に関し、デザインの都合上、距離Ｌ２、Ｌ３の双方が距離Ｌ１より大きくなるように設定されているが、例えば、距離Ｌ２、Ｌ３のいずれか一方のみを極端に大きく設定する場合も考えられる。このような場合には、上記離間距離が大きい一方側での破損の可能性を考慮し、該一方側のみをシート部材２４で覆うようにしてもよい。
【００６７】
ところで、本実施形態では、見方を変えると、シート部材２４によって係合縁部４２ｅ〜４２ｇの破損を防止できるようにしたことで、ガイド部４２ｋと係合縁部４２ｆ、４２ｇとの距離Ｌ２及びＬ３を、側面部４２ｂの係合縁部４２ｅとの距離Ｌ１よりも大きく設定することが可能になったと考えることもできる。
【００６８】
このように、上記距離Ｌ２及びＬ３または、このうちの少なくとも一方を距離Ｌ１よりも大きくすることで、シート部材２４によって係合縁部４２ｆ、４２ｇの下部領域αの破損を防止しつつ、ガイド部４２ｋを前後方向中央側に寄せて形成できる。このため、高剛性のピラートリム４２を形成することが容易になったり、ピラートリム４２のデザインの自由度向上や、ピラートリム４２のルーフトリム４５への取付作業の容易化を図ったりすることができる。
【００６９】
また、係合部４２ｐを覆う部材を可撓性部材（シート部材２４）で構成したため、簡素な構成でありながら、カーテン部材２１の展開に伴うシート部材２４の変形によって係合部４２ｐを確実に覆うことができ、これによってカーテン部材２１の下部領域αへの当接を確実に防止できる。
【００７０】
（第２実施形態）  
次に、図７、図８に示す第２実施形態について説明する。図７は、本実施形態に係るピラートリムの上部周辺を示す要部拡大側面図であり、図８は、同平面図である。なお、第１実施形態と同様の構成要素については、同一の符号を付してその詳しい説明を省略する。
【００７１】
第１実施形態では、カーテン部材２１の展開時において、係合部４２ｐの上方を覆う可撓性のシート部材２４を備え、展開中のカーテン部材２１が下部領域αに当接することをこのシート部材２４により阻止するように構成しているが、本発明は必ずしもこれに限定されるものではない。
【００７２】
要するに、上記下部領域αとカーテン部材２１との当接を阻止するものであればよく、例えば、図７、図８に示すように、ガイド部４２ｋと、係合部４２ｐの上部に位置する係合縁部４２ｆ、４２ｇとの間で上方に突出する突出部４２ｖを規制部４２ｑに一体的に形成するようにしてもよい。
【００７３】
これにより、カーテン部材２１の展開時にこれが突出部４２ｖに当接することで、係合部４２ｐへの落ち込みによるカーテン部材２１と下部領域αとの当接を阻止することが可能になり、結果的に、シート部材２４の場合と同様、下部領域αに大きな応力が作用することに起因して発生する係合縁部４２ｅ〜４２ｇの破損を防止できる。
【００７４】
但し、ガイド部４２ｋと係合部４２ｐとの間の規制部４２ｑには、斜設部４２ｓが形成されていることから、突出部４２ｖは、この斜設部４２ｓの移動軌跡と干渉しない位置に配設される必要がある。
【００７５】
そこで、本実施形態では、突出部４２ｖが、斜設部４２ｓの揺動軌跡の下端部よりも下方に位置するように形成されており、これによって、斜設部４２ｓの揺動を許容しつつ、係合縁部４２ｅ〜４２ｇの破損を防止することを可能にしている。
【００７６】
（第３実施形態）  
なお、斜設部４２ｓの揺動を許容しつつ、下部領域αから上方に突出する突出部により係合縁部４２ｅ〜４２ｇ等の破損を防止しようとする場合には、例えば、図７、図８にて二点鎖線で示すように、斜設部４２ｓの揺動軌跡を含む平面と直交する方向（ここでは車幅方向）において該平面から離間する位置にリブ４２ｗを形成するようにしてもよい。
【００７７】
なお、本実施形態では、ピラートリム４２のガイド部４２ｋや、規制部４２ｑ等の形状次第では、ピラートリム４２全体の形状が複雑となり、リブ４２ｗをピラートリム４２にて一体形成することが困難となることも考えられる。このような場合には、リブ４２ｗに相当する突出部材をピラートリム４２と別部材で構成し、ガイド部４２ｋと係合部４２ｐとの間の上記所定位置に取付けるようにしてもよい。
【００７８】
ところで、第１実施形態のシート部材２４と、第２、第３実施形態の突出部４２ｖ、リブ４２ｗとを比較すると、第１実施形態では、係合部４２ｐを覆う可撓性のシート部材２４をカーテンエアバッグ装置２０側に備えていることで、ピラートリム４２周辺の形状が複雑化することを抑制しており、ピラートリム４２の成形性、製造の容易性の観点からすれば、シート部材２４を用いた第１実施形態の構成がより好ましいと言える。
【００７９】
この発明の構成と、上述の実施形態との対応において、
この発明のカーテンエアバッグ手段は、カーテンエアバッグ装置２０に対応し、
以下同様に、
阻止部材は、シート部材２４、突出部４２ｖ、リブ４２ｗに対応し、
可撓性部材は、シート部材２４に対応し、
突出部は、突出部４２ｖ、リブ４２ｗに対応するも、
この発明は、上述の実施形態の構成のみに限定されるものではなく、多くの実施の形態を得ることができる。
【図面の簡単な説明】
【００８０】
【図１】この発明の第１実施形態に係る車両の内装構造を示す図であり、収納状態にあるカーテンエアバッグ装置を車室内側から見た簡略側面図。
【図２】カーテンエアバッグ装置のカーテン部材を車室内に膨張、展開させたときの状態を示すもので、図１に対応した図。
【図３】ピラートリムの上部周辺を示す要部拡大側面図。
【図４】ピラートリム周辺を示す要部拡大平面図。
【図５】図３、図４におけるＡ−Ａ線矢視断面図。
【図６】Ｂピラーの取付けを説明するための図３相当の図。
【図７】この発明の第２実施形態に係る車両の内装構造を示す図であり、ピラートリムの上部周辺を示す要部拡大側面図。
【図８】図７に示すピラートリム周辺を示す要部拡大平面図。
【符号の説明】
【００８１】
７、８、９、１０…ピラー
１２、１４、１６…サイドウインドガラス
２０…カーテンエアバッグ装置
２１…カーテン部材
２４…シート部材
４２…ピラートリム
４２ｋ…ガイド部
４２ｐ…係合部
４２ｖ…突出部
４２ｗ…リブ
４５…ルーフトリム
【図１】
2010006101.tif 000003
【図２】
2010006101.tif 000004
【図３】
2010006101.tif 000005
【図４】
2010006101.tif 000006
【図５】
2010006101.tif 000007
【図６】
2010006101.tif 000008
【図７】
2010006101.tif 000009
【図８】
2010006101.tif 000010